(57)【要約】【課題】複数の無線タグ回路素子への連続的な情報書き込み処理を、必要最小限の送信出力で効率的に行う。【解決手段】所定の情報を記憶するＩＣ回路部１５１及びアンテナ１５２を有する複数の無線タグ回路素子Ｔoとの間で、無線通信により送受信を行うアンテナ１４と、無線タグ回路素子Ｔoの位置検出信号を、アンテナ１５２に送信する高周波回路２１の送信部３２と、この位置検出信号に応じてＩＣ回路部１５１より返信される返信信号をアンテナ１４で受信する受信部３３と、この受信された返信信号に基づいてＩＣ回路部１５１に書き込むための無線タグ情報をアンテナ１４を介して非接触で送信する送信部３２とを有する。【選択図】  図８
2005267532.tif 000002
【特許請求の範囲】
【請求項１】
所定の情報を記憶するＩＣ回路部及びこのＩＣ回路部に接続され情報の送受信を行うタグ側アンテナを有する複数の無線タグ回路素子のうち、特定の無線タグ回路素子の前記タグ側アンテナとの間で、無線通信により送受信を行う装置側アンテナと、
前記無線タグ回路素子の位置を検出するための位置検出信号を、前記装置側アンテナを介して非接触で前記タグ側アンテナに送信する位置検出信号送信手段と、
この位置検出信号送信手段による前記位置検出信号に応じて前記ＩＣ回路部より返信される返信信号を、前記タグ側アンテナを介し非接触で前記装置側アンテナで受信する返信信号受信手段と、
この返信信号受信手段で受信された前記返信信号に基づいて、前記ＩＣ回路部に書き込むための無線タグ情報を、前記装置側アンテナを介して非接触で前記タグ側アンテナに送信する書き込み情報送信手段とを有することを特徴とする無線タグ情報書き込み装置。
【請求項２】
請求項１記載の無線タグ情報書き込み装置において、
前記無線タグ回路素子を、前記装置側アンテナに近づくように搬送可能な搬送手段を有することを特徴とする無線タグ情報書き込み装置。
【請求項３】
請求項２記載の無線タグ情報書き込み装置において、
前記搬送手段による前記無線タグ回路素子の搬送速度を制御する第１制御手段を有することを特徴とする無線タグ情報書き込み装置。
【請求項４】
請求項３記載の無線タグ情報書き込み装置において、
前記第１制御手段は、前記搬送手段で搬送される前記無線タグ回路素子が前記装置側アンテナ近傍の所定の範囲に到達したら、前記搬送手段の搬送速度を変化させることを特徴とする無線タグ情報書き込み装置。
【請求項５】
請求項４記載の無線タグ情報書き込み装置において、
前記第１制御手段は、前記搬送手段で搬送される前記無線タグ回路素子が前記装置側アンテナ近傍の所定の範囲に到達したら、前記搬送手段の搬送速度を減速させることを特徴とする無線タグ情報書き込み装置。
【請求項６】
請求項１乃至５のいずれか１項記載の無線タグ情報書き込み装置において、
前記位置検出信号送信手段による送信出力を可変に制御する第２制御手段を有することを特徴とする無線タグ情報書き込み装置。
【請求項７】
請求項１乃至６のいずれか１項記載の無線タグ情報書き込み装置において、
前記返信信号受信手段による前記返信信号の受信後、前記書き込み情報送信手段による前記無線タグ情報の送信までの時間を可変に制御する第３制御手段を有することを特徴とする無線タグ情報書き込み装置。
【請求項８】
請求項１乃至７のいずれか１項記載の無線タグ情報書き込み装置において、
前記書き込み情報送信手段による送信出力を制御する第４制御手段を有することを特徴とする無線タグ情報書き込み装置。
【請求項９】
請求項３乃至８のいずれか１項記載の無線タグ情報書き込み装置において、
前記書き込み情報送信手段による送信実行後、前記ＩＣ回路部への書き込みが成功したか否かの判定を行う判定手段を有し、
前記第１〜第４制御手段は、前記判定手段での書き込み成否の判定結果に応じて、対応する前記搬送速度、前記位置検出の送信出力、前記所定時間、前記書き込み情報の送信出力のいずれかを可変に制御することを特徴とする無線タグ情報書き込み装置。
【請求項１０】
請求項１乃至９のいずれか１項記載の無線タグ情報書き込み装置において、
筐体と、
この筐体に設けられ、前記複数の無線タグ回路素子を備えたカートリッジを着脱可能なカートリッジホルダ部と、
対応する前記無線タグ回路素子のタグ属性パラメータ及び通信パラメータに対応して前記カートリッジに形成されたパラメータ情報を検出する情報検出手段とを有し、
前記第１〜第４制御手段は、前記情報検出手段の検出信号に応じて、対応する前記搬送速度、前記位置検出の送信出力、前記所定時間、前記書き込み情報の送信出力のいずれかを可変に制御することを特徴とする無線タグ情報書き込み装置。
【発明の詳細な説明】
【技術分野】
【０００１】
本発明は、外部と情報の無線通信が可能な無線タグに備えられた無線タグ回路素子に対して、外部より情報の書き込みを行う無線タグ情報書き込み装置に関する。
【背景技術】
【０００２】
小型の無線タグとリーダ（読み取り装置）／ライタ（書き込み装置）との間で非接触で情報の読み取り／書き込みを行うＲＦＩＤ（Ratio Frequency Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
従来、上記のようにして無線タグ回路素子のＩＣ回路部に所定の情報の書き込みを行う場合において、装置側アンテナに近い無線タグ回路素子ほど小さい出力で書き込みが可能であること、無線タグ回路素子の配置間隔に対して出力が大きすぎると書き込み対象に隣接する無線タグ回路素子にも書き込んでしまう可能性があること等を考慮し、無線タグ回路素子に貼り合わせるラベルへの印刷条件（ラベルの大きさ等）や、無線タグ回路素子への通信条件（タグ側アンテナの大きさ、ＩＣ回路部の種類等）に応じて、無線タグ回路素子の装置側アンテナ方向への搬送速度を決定するものが既に提唱されている（例えば、特許文献１参照）。
【０００４】
【特許文献１】特開２００３−１４０５４８号公報（段落番号０００８〜００２２）
【発明の開示】
【発明が解決しようとする課題】
【０００５】
上記従来技術では、印刷条件や通信条件に応じて搬送速度を制御することで、無線タグ回路素子の搬送を停止することなく、複数の無線タグ回路素子への情報書き込みを連続的に行い、スループットの低下を防止できるようにしている。
【０００６】
しかしながら、上記のように複数の無線タグ回路素子への書き込み処理作業を行っている間、無線タグ回路素子への通信が必ずしも成り立たない期間も含めて装置側アンテナから継続的に送信出力が発生されている。このため、電波送信出力の無駄が発生し、非効率的であった。
【０００７】
本発明の目的は、複数の無線タグ回路素子への連続的な情報書き込み処理を、必要最小限の送信出力で効率的に行える無線タグ情報書き込み装置を提供することにある。
【課題を解決するための手段】
【０００８】
上記目的を達成するために、第１の発明は、所定の情報を記憶するＩＣ回路部及びこのＩＣ回路部に接続され情報の送受信を行うタグ側アンテナを有する複数の無線タグ回路素子のうち、特定の無線タグ回路素子の前記タグ側アンテナとの間で、無線通信により送受信を行う装置側アンテナと、
前記無線タグ回路素子の位置を検出するための位置検出信号を、前記装置側アンテナを介して非接触で前記タグ側アンテナに送信する位置検出信号送信手段と、この位置検出信号送信手段による前記位置検出信号に応じて前記ＩＣ回路部より返信される返信信号を、前記タグ側アンテナを介し非接触で前記装置側アンテナで受信する返信信号受信手段と、この返信信号受信手段で受信された前記返信信号に基づいて、前記ＩＣ回路部に書き込むための無線タグ情報を、前記装置側アンテナを介して非接触で前記タグ側アンテナに送信する書き込み情報送信手段とを有することを特徴とする。
【０００９】
本願第１発明においては、位置検出信号送信手段が、装置側アンテナを介し無線タグ回路素子のタグ側アンテナに対して位置検出信号を送信する。無線タグ回路素子がこの位置検出信号が届く所定位置まで搬送されてくると、この位置検出信号に反応して返信信号を送信（返信）し、この返信信号が装置側アンテナを介し返信信号受信手段で受信され、この受信のタイミングでの無線タグ回路素子の位置を検出できる。そして、この受信した返信信号に基づき、書き込み情報送信手段が無線タグ情報を無線タグ回路素子へと送信し、書き込みを行う。以上のように、位置検出信号の返信信号に基づき無線タグ回路素子の位置を検出し、さらにこれに基づいて書き込みを行うようにすることにより、次々と搬送されてくる複数の無線タグ回路素子に対し、センサ等を用いることなく、必要最小限の送信出力で効率的かつ連続的に情報書き込み処理を行うことができる。
【００１０】
第２の発明は、上記第１発明において、前記無線タグ回路素子を、前記装置側アンテナに近づくように搬送可能な搬送手段を有することを特徴とする。
【００１１】
搬送手段で、無線タグ回路素子を位置検出信号が届く所定位置まで搬送し、さらに返信信号を装置側アンテナへ送信した後、装置側アンテナ近傍の情報書き込みに適した位置に到達させることができる。
【００１２】
第３の発明は、上記第２発明において、前記搬送手段による前記無線タグ回路素子の搬送速度を制御する第１制御手段を有することを特徴とする。
【００１３】
これにより、無線タグ回路素子を装置側アンテナに近づくように搬送する搬送手段の速度を、適宜の大きさに制御することが可能となる。
【００１４】
第４の発明は、上記第３発明において、前記第１制御手段は、前記搬送手段で搬送される前記無線タグ回路素子が前記装置側アンテナ近傍の所定の範囲に到達したら、前記搬送手段の搬送速度を変化させることを特徴とする。
【００１５】
これにより、搬送されてくる無線タグ回路素子を、装置側アンテナから通信可能な近傍範囲内に存在させたい所要時間に合わせ、搬送速度を最適に調整することができる。
【００１６】
第５の発明は、上記第４発明において、前記第１制御手段は、前記搬送手段で搬送される前記無線タグ回路素子が前記装置側アンテナ近傍の所定の範囲に到達したら、前記搬送手段の搬送速度を減速させることを特徴とする。
【００１７】
装置側アンテナ近傍で情報書き込みを行うときに搬送速度を比較的低くすることができ、情報書き込みのための時間を比較的十分にとることができるとともに、無線タグ回路素子を装置側アンテナより通信可能な近傍範囲内に比較的長い時間存在させることができるので、さらに確実に情報書き込みを行うことができる。
【００１８】
第６の発明は、上記第１乃至第５発明のいずれか１つにおいて、前記位置検出信号送信手段による送信出力を可変に制御する第２制御手段を有することを特徴とする。
【００１９】
これにより、無線タグ回路素子の位置を検出するための位置検出信号の送信出力を、適宜の大きさに制御することが可能となる。
【００２０】
第７の発明は、上記第１乃至第６発明のいずれか１つにおいて、前記返信信号受信手段による前記返信信号の受信後、前記書き込み情報送信手段による前記無線タグ情報の送信までの時間を可変に制御する第３制御手段を有することを特徴とする。
【００２１】
これにより、無線タグ回路素子からの返信信号を受けてから、その無線タグ回路素子が装置側アンテナの近傍領域に到達するとみなされるまでの装置側の待機時間を、適宜に調整して設定することが可能となる。
【００２２】
第８の発明は、上記第１乃至第７発明のいずれか１つにおいて、前記書き込み情報送信手段による送信出力を制御する第４制御手段を有することを特徴とする。
【００２３】
これにより、ＩＣ回路部に書き込むための無線タグ情報をタグ側アンテナに送信する書き込み情報送信手段の送信出力を、適宜の大きさに制御することが可能となる。またこのように送信出力の大きさを変えることにより、装置側アンテナからの通信範囲を適切に設定することができる。
【００２４】
第９の発明は、上記第３乃至第８発明のいずれか１つにおいて、前記書き込み情報送信手段による送信実行後、前記ＩＣ回路部への書き込みが成功したか否かの判定を行う判定手段を有し、前記第１〜第４制御手段は、前記判定手段での書き込み成否の判定結果に応じて、対応する前記搬送速度、前記位置検出の送信出力、前記所定時間、前記書き込み情報の送信出力のいずれかを可変に制御することを特徴とする。
【００２５】
これにより、無線タグ回路素子のＩＣ回路部への書き込み成否に基づき、搬送速度、位置検出や書き込み情報の送信出力、返信信号を受信してからの所定の待機時間を、適宜の大きさに調整することが可能となる。この結果、例えば書き込みが失敗した場合には、送信出力を大きくすることで若しくは上記待機時間を短くして無線タグ回路素子が上記装置側アンテナ近傍領域にくる少し前から書き込み情報を送信することで確実な通信が行えるようにしたり、搬送速度を小さくして無線タグ回路素子が装置側アンテナ近傍に存在する時間を長くしたりして、書き込み成功率を増大するように図ることができる。
【００２６】
第１０の発明は、上記第１乃至第９発明のいずれか１つにおいて、筐体と、この筐体に設けられ、前記複数の無線タグ回路素子を備えたカートリッジを着脱可能なカートリッジホルダ部と、対応する前記無線タグ回路素子のタグ属性パラメータ及び通信パラメータに対応して前記カートリッジに形成されたパラメータ情報を検出する情報検出手段とを有し、前記第１〜第４制御手段は、前記情報検出手段の検出信号に応じて、対応する前記搬送速度、前記位置検出の送信出力、前記所定時間、前記書き込み情報の送信出力のいずれかを可変に制御することを特徴とする。
【００２７】
これにより、カートリッジに形成された内包無線タグ回路素子のタグ属性パラメータや通信パラメータに応じた適正な搬送速度、送信出力、待機時間等を用いて、さらに確実に書き込み処理を行うことができる。
【発明の効果】
【００２８】
本発明によれば、位置検出信号の返信信号に基づき無線タグ回路素子の位置を検出し、さらにこれに基づいて書き込みを行うようにすることにより、複数の無線タグ回路素子への連続的な情報書き込み処理を、必要最小限の送信出力で効率的に行うことができる。
【発明を実施するための最良の形態】
【００２９】
以下、本発明の一実施の形態を図面を参照しつつ説明する。
【００３０】
図１は、本実施形態の無線タグ情報書き込み装置が適用される無線タグ生成システムを表すシステム構成図である。
【００３１】
図１に示すこの無線タグ生成システム１において、本実施形態による無線タグ情報書き込み装置(ライタ、但しこの例では読み取り機能を併せて備えている)２は、有線あるいは無線による通信回線３を介してルートサーバ４、端末５、汎用コンピュータ６、及び複数の情報サーバ７に接続されている。
【００３２】
図２は、上記無線タグ情報書き込み装置２の詳細構造を表す概念的構成図である。
【００３３】
図２において、無線タグ情報書き込み装置２の装置本体８には、凹所としてのカートリッジホルダ部（図示せず）が設けられ、このホルダ部にカートリッジ１００が着脱可能に取り付けられている。
【００３４】
装置本体８は、カートリッジ１００を嵌合させる上記カートリッジホルダ部を備えるとともに外郭を構成する筐体９と、カバーフィルム１０３に所定の印字（印刷）を行う印字ヘッド（サーマルヘッド）１０と、カバーフィルム１０３への印字が終了したインクリボン１０５を駆動するリボン巻取りローラ駆動軸１１と、カバーフィルム１０３と基材テープ１０１とを貼り合わせつつ印字済みタグテープ１１０としてカートリッジ１００から繰り出すためのテープ送りロール駆動軸１２と、印字済タグテープ１１０に備えられる無線タグ回路素子Ｔo（詳細は後述）との間でＵＨＦ帯等の高周波を用いて無線通信により信号の送受を行うアンテナ（装置側アンテナ）１４と、上記印字済タグテープ１１０を所定のタイミングで所定の長さに切断しラベル状の無線タグラベル（無線タグ）Ｔを生成するカッタ１５と、上記無線通信による信号送受時において無線タグ回路素子Ｔoをアンテナ１４に対向する所定の書き込みエリア（詳細は後述）へ通過させるとともに切断後の各無線タグラベルＴを案内するための一対の搬送ガイド１３と、その案内された無線タグラベルＴを搬出口（排出口）１６へと搬送し送出する送出ローラ１７と、搬出口１６における無線タグラベルＴの有無を検出するセンサ１８とを有している。
【００３５】
センサ１８は、例えば投光器及び受光器からなる反射型の光電センサである。投光器と受光器との間に無線タグラベルＴが存在しない場合には、その投光器から出力された光が受光器に入力される。一方、投光器と受光器との間に無線タグラベルＴが存在する場合には、投光器から出力された光が遮蔽されて受光器からの制御出力が反転させられるようになっている。
【００３６】
一方、装置本体８はまた、上記アンテナ１４を介し上記無線タグ回路素子Ｔoへアクセスする（この例では書き込みを行う）ための高周波回路２１と、無線タグ回路素子Ｔoから読み出された信号を処理するための信号処理回路２２と、前述したリボン巻取りローラ駆動軸１１及びテープ送りロール駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、この送出ローラ用モータ２８を制御する送出ローラ駆動回路２９と、上記高周波回路２１、信号処理回路２２、カートリッジ駆動回路２４、印刷駆動回路２５、ソレノイド駆動回路２７、送出ローラ駆動回路２９等を介し、無線タグ情報書き込み装置２全体の動作を制御するための制御回路３０とを有する。
【００３７】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またタイマー回路３０Ａを内蔵している。さらにこの制御回路３０は、入出力インターフェイス３１を介し前述の通信回線３に接続され、この通信回線３に接続された前述のルートサーバ４、他の端末５、汎用コンピュータ６、及び情報サーバ７等との間で情報のやりとりが可能となっている。
【００３８】
図３は、カートリッジ１００の詳細構造を表す側面図である。
【００３９】
この図３において、カートリッジ１００は、帯状の上記基材テープ１０１（タグテープ）が巻回された第１ロール１０２と、基材テープ１０１と略同じ幅である透明な上記カバーフィルム１０３が巻回された第２ロール１０４と、上記インクリボン１０５を矢印Ａ方向に繰り出すリボン供給側ロール１１１と、印字後のインクリボン１０５を矢印Ｂ方向に巻取るリボン巻取りローラ１０６と、上記基材テープ１０１とカバーフィルム１０３とを押圧し接着させ印字済タグテープ１１０としつつ矢印Ｃ方向にテープ送りをするテープ送りローラ（搬送手段）１０７と、これらを内設するカートリッジ筐体（カートリッジ本体）１００Ａとを有する。
【００４０】
リボン巻取りローラ１０６及びテープ送りローラ１０７は、それぞれカートリッジ１００外に設けた例えばパルスモータである上記カートリッジ用モータ２３（前述の図２参照）の駆動力が上記リボン巻取りローラ駆動軸１１及び上記テープ送りロール駆動軸１２に伝達されることによって回転駆動される。
【００４１】
第１ロール１０２は、リール部材１０２ａの周りに、長手方向に複数の無線タグ回路素子Ｔoが順次形成された上記基材テープ１０１を巻回している。
【００４２】
第１ロール１０２に巻回される基材テープ１０１はこの例では４層構造となっており（図３中部分拡大図参照）、内側に巻かれる側（図３中右側）よりその反対側（図３中左側）へ向かって、カバーフィルム用粘着層１０１ａ、ＰＥＴ（ポリエチレンテレフタラート）等から成る色付きのベースフィルム１０１ｂ、無線タグラベルＴを貼り付け対象に貼り付けるための粘着材を備えた貼着用粘着層１０１ｃ、この貼着用粘着層１０１ｃの貼り付け側を覆う剥離紙１０１ｄの順序で積層され構成されている。また、ベースフィルム１０１ｂの裏側（図３中左側）には、情報を記憶するＩＣ回路部１５１が一体的に設けられており、ベースフィルム１０１ｂの裏側の表面にはＩＣ回路部１５１に接続され情報の送受信を行うアンテナ（タグ側アンテナ）１５２が形成されており、これらＩＣ回路部１５１及びアンテナ１５２によって無線タグ回路素子Ｔoが構成されている（後述の図１４等も参照）。さらに、ベースフィルム１０１ｂの表側（図３中右側）には、後にカバーフィルム１０３を接着するための上記カバーフィルム用粘着層１０１ａが形成され、またベースフィルム１０１ｂの裏側には、上記貼着用粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで貼着用粘着層１０１ｃにより当該商品等に接着できるようにしたものである。
【００４３】
第２ロール１０４は、リール部材１０４ａの周りに上記カバーフィルム１０３を巻回しており、カバーフィルム１０３が繰り出される。
【００４４】
上記リボン供給側ロール１１１及び上記リボン巻取りローラ１０６はこのカバーフィルム１０３の裏面側（すなわち上記基材テープ１０１と接着される側）に配置されており、これらによって上記インクリボン１０５が駆動される。そして、このインクリボン１０５が上記印字ヘッド１０に押圧されてカバーフィルム１０３の裏面に当接され、上記印刷駆動回路２５により印字ヘッド１０の複数の発熱素子が通電される。この結果、カバーフィルム１０３の裏面（＝カバーフィルム用粘着層１０１ａ側の面）に所定の文字、記号、バーコード等の印字Ｒ（後述の図１３（ａ）参照）が印刷（但し裏面から印刷するので印刷側から見て鏡面対称の文字等を印刷している）される。なお、カバーフィルム１０３への印字が終了したインクリボン１０５は、リボン巻取りローラ駆動軸１１の駆動によりリボン巻取りローラ１０６に巻取られる。
【００４５】
以上のような構成のカートリッジ１００が上記装置本体８に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３がテープ送りローラ１０７とサブローラ１０９との間に狭持される。そして、カートリッジ用モータ２３の駆動力によってリボン巻取りローラ１０６及びテープ送りローラ１０７が矢印Ｂ及び矢印Ｄ方向にそれぞれ同期して回転駆動され、さらにこれに伴いサブローラ１０９及びプラテンローラ１０８が回転する。
【００４６】
この結果、第１ロール１０２から基材テープ１０１が繰り出されてテープ送りローラ１０７へ供給されるとともに、第２ロール１０４からカバーフィルム１０３が繰り出されつつ前述のようにリボン供給側ロール１１１からインクリボン１０５が繰り出され、印字ヘッド１０でカバーフィルム１０３に印刷が行われる。そして、上記基材テープ１０１と上記印刷が終了したカバーフィルム１０３とが上記テープ送りローラ１０７及びサブローラ１０９により接着されて一体化され、印字済タグテープ１１０として形成され、カートリッジ１００外へと搬出される。
【００４７】
図４は、上記高周波回路２１の詳細機能を表す機能ブロック図である。この図４において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００４８】
送信部３２は、無線タグ回路素子ＴoのＩＣ回路部１５１の無線タグ情報にアクセスする(読み取り／書き込みを行う)ための搬送波を発生させる水晶振動子３５、ＰＬＬ（Phase Locked Loop）３６、及びＶＣＯ（Voltage Controlled  Oscillator）３７と、上記信号処理回路２２から供給される信号に基づいて上記発生させられた搬送波を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を増幅（この例では制御回路３０からの「ＴＸ＿ＰＷＲ」信号によって増幅率を決定される増幅）する可変増幅送信アンプ３９とを備えている。そして、上記発生される搬送波は、好適にはＵＨＦ帯の周波数を用いており、上記送信アンプ３９の出力は、送受分離器３４を介してアンテナ１４に伝達されて無線タグ回路素子ＴoのＩＣ回路部１５１に供給される。
【００４９】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅して第１リミッタ４２に供給する受信第１アンプ４３と、上記アンテナ１４により受信された無線タグ回路素子Ｔoからの反射波と上記発生された後に位相が９０°ずらされた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を入力するとともに増幅して第２リミッタ４６に供給する受信第２アンプ４７とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００５０】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態の無線タグ情報書き込み装置２では、Ｉ−Ｑ直交復調によって無線タグ回路素子Ｔoからの反射波の復調が行われる。
【００５１】
図５は、上記した印字済タグテープ１１０に備えられた無線タグ回路素子Ｔoの機能的構成を表す機能ブロック図である。
【００５２】
この図５において、無線タグ回路素子Ｔoは、無線タグ情報書き込み装置２側のアンテナ１４とＵＨＦ帯等の高周波を用いて非接触で信号の送受信を行う上記アンテナ（タグ側アンテナ）１５２と、このアンテナ１５２に接続された上記ＩＣ回路部１５１とを有している。
【００５３】
ＩＣ回路部１５１は、アンテナ１５２により受信された搬送波を整流する整流部１５３と、この整流部１５３により整流された搬送波のエネルギを蓄積し駆動電源とするための電源部１５４と、上記アンテナ１５２により受信された搬送波からクロック信号を抽出して制御部１５５に供給するクロック抽出部１５６と、所定の情報信号を記憶し得る情報記憶手段として機能するメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００５４】
変復調部１５８は、アンテナ１５２により受信された上記無線タグ情報書き込み装置２のアンテナ１４からの無線通信信号の復調を行うと共に、上記制御部１５５からの応答信号に基づき、アンテナ１５２より受信された搬送波を変調反射する。
【００５５】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００５６】
図６は、上述したような無線タグ情報書き込み装置２による無線タグ回路素子ＴoのＩＣ回路部１５１の無線タグ情報へのアクセス(この例では書き込み)に際して、上記した端末５又は汎用コンピュータ６に表示される画面の一例を表す図である。
【００５７】
図６において、この例では、無線タグ回路素子Ｔoに対応して印刷された印字文字Ｒ、その無線タグ回路素子Ｔoに固有のＩＤであるアクセス（この例では書き込み）ＩＤ、上記情報サーバ７に記憶された物品情報のアドレス、及び上記ルートサーバ４におけるそれらの対応情報の格納先アドレス等が前記端末５又は汎用コンピュータ６に表示可能となっている。そして、その端末５又は汎用コンピュータ６の操作により無線タグ情報書き込み装置２が作動されて、カバーフィルム１０３に上記印字文字Ｒが印刷されると共に、ＩＣ回路部１５１へ対応する物品情報等の無線タグ情報が書き込まれる。
【００５８】
以上の基本構成において、本実施形態の最も大きな特徴は、アンテナ１４から送信した位置検出信号（後述）に対する無線タグ回路素子Ｔoからの返信信号（後述）に基づき無線タグ回路素子Ｔoの位置を検出し、さらにこれに基づいてアンテナ１４から無線タグ回路素子Ｔoに無線タグ情報を送信し書き込みを行うことにある。以下、その詳細を図７及び図８により説明する。
【００５９】
図７は、制御回路３０によって実行される制御のうち、無線タグ回路素子ＴoのＩＣ回路部１５１への上記無線タグ情報の書き込み手順を表すフローチャートである。
【００６０】
この図７において、前述したように端末５又は汎用コンピュータ６の入力（書き込み指示入力）により無線タグ情報書き込み装置２が作動されるとこのフローが開始される。
【００６１】
まずステップＳ１１０において、通信不良等が疑われるときのリトライ（再試行）の回数をカウントする変数Ｎ，Ｍを０に初期化する。
【００６２】
その後、ステップＳ１２０において、上記端末５又は汎用コンピュータ６の入力操作を介し予め設定された、前述の送出ローラ１７及びテープ送りローラ１０７による印字済みタグテープ１１０の搬送速度Ｖと、アンテナ１４から発生する送信電波出力のパワー（一定値）Ｐ（詳細には書き込み時パワーＰｒと読み取り時パワーＰＲ）とを読み込む。あるいは、パワーＰに代えて、各無線タグ回路素子Ｔoのタグ感度や、アンテナ１５２の利得でもよい。
【００６３】
そして、ステップＳ１３０において、上記ステップＳ１２０で入力した搬送速度ＶとパワーＰの値に基づき、無線タグ回路素子Ｔoからの返答信号を受信してからこれに対応する書込信号を送信するまでの待機時間ｔ１と、書き込み開始後に書き込みが完了するまで所定回数だけ書込信号を送信し続ける（＝リトライ）リトライ時間ｔ２とを算出する。
【００６４】
図８に示すように、本実施形態では、上記検出時送信パワーＰＲを一定値とすることで、検出信号の届く範囲をアンテナ１４を中心とする比較的大きい半径Ｒの円で表される範囲に設定する。また、アンテナ１４を中心とする比較的小さい半径の円ｒで表される範囲を無線タグ情報の書き込み範囲に設定してこれに対応する書き込み時送信パワーＰｒとし、搬送路に沿ってその書き込み範囲ｒ内においてのみ所定回数だけ無線タグ回路素子Ｔoへの無線タグ情報の書き込みをトライするものである。
【００６５】
したがって、上記待機時間ｔ１は、図８に示すように、無線タグ回路素子Ｔoの検出位置ｐ１から書込開始位置ｐ２まで（＝書き込みせず待機する区間）に搬送速度Ｖにて搬送路に沿いつつ搬送するのに要する時間に相当しており、上記リトライ時間ｔ２は、上記書込開始位置ｐ２から書込終了位置ｐ３まで（＝書き込みトライ区間）に搬送速度Ｖにて搬送路に沿いつつ搬送するのに要する時間に相当するものとなっている。
【００６６】
以上のようにして時間ｔ１，ｔ２を演算したら、ステップＳ１４０に移る。
【００６７】
ステップＳ１４０では、通信エリア内の無線タグ回路素子に応答を求める「Scroll All ID」コマンドを信号処理回路２２に出力する。これに基づき信号処理回路２２で位置検出信号としての「Scroll All ID」信号（なお、対象の無線タグ回路素子が特定できている場合は「Scroll ID」信号でもよい）が生成されて高周波回路の送信部３２を介し検出可能範囲（上記位置検出信号が届く範囲、この例では送信パワーＰが一定であることからアンテナ１４を中心とした半径Ｒの円となる、図８参照）内に上記出力パワーＰＲにて送信される。したがって、図８に示すように、カートリッジ１００から搬出され印字済みタグテープ１１０の搬送路沿いに上記一定速度Ｖで搬送されてくる無線タグ回路素子Ｔoが上記半径Ｒの円内に到達した段階で、上記検出信号が当該無線タグ回路素子Ｔoに届き、この検出信号への返信が促される。なお、この位置検出時の半径Ｒは前述したように書き込み時（詳細は後述）の半径ｒよりも大きく、これに対応して送信出力も位置検出時では相対的に大きく、「Ｅｒａｓｅ」や「Ｐｒｏｇｒａｍ」信号等の書き込み時には相対的に小さくなるように制御回路３０からの「ＴＸ＿ＰＷＲ」信号に基づき上記可変増幅送信アンプ３９の増幅率が制御される。
【００６８】
上記無線タグ回路素子Ｔoのアンテナ１５２から返信信号（＝リプライ信号；例えばＩＤ番号あるいはさらにこれに対応する物品情報等）が返信されると、この信号が次のステップＳ１５０においてアンテナ１４を介し受信され、高周波回路２１の受信部３３及び信号処理回路２２を介し取り込まれる。
【００６９】
その後、ステップＳ１６０において、上記ステップＳ１５０で受信したリプライ信号により１つの正しいＩＤが取得されたかどうか（言いかえれば、上記半径Ｒの円内に到達した当該無線タグ回路素子を正しく検出できたか）を判定する。
【００７０】
判定が満たされない場合はステップＳ１４０に戻り、正しく検出できるまで同様の手順を繰り返す。判定が満たされたらステップＳ１７０に移る。
【００７１】
ステップＳ１７０では、前述の制御回路３０内のタイマー回路３０Ａを用いて、上記ステップＳ１５０でリプライ信号を受信してからの経過時間が、上記待機時間ｔ１になったかどうかを判定する。時間がｔ１だけ経過したらこの判定が満たされ、ステップＳ１８０に移る。
【００７２】
ステップＳ１８０では、上記ステップＳ１７０の判定が満たされたことで書き込み対象の無線タグ回路素子Ｔoが上記書き込みトライ区間に到達したことから、書き込み処理の最初の手順として、メモリ部１５７の内容を消去する「Erase」コマンドを信号処理回路２２に出力する。これに基づき信号処理回路２２で「Erase」信号が生成されて高周波回路２１の送信部３２を介して書き込み対象の無線タグ回路素子Ｔoに送信され、そのメモリ部１５７を初期化する。
【００７３】
次に、ステップＳ１９０において、直前に実行したコマンド（ここではEraseコマンド）が成功したか否かを確認する「Verify」コマンドを信号処理回路２２に出力する。これに基づき信号処理回路２２で「Verify」信号が生成されて高周波回路２１の送信部３２を介して情報書き込み対象の無線タグ回路素子Ｔoに送信され、返信を促す。その後ステップＳ２００において、上記「Verify」信号に対応して書き込み対象の無線タグ回路素子Ｔoから送信されたリプライ信号をアンテナ１４を介して受信し、高周波回路２１の受信部３３及び信号処理回路２２を介し取り込む。
【００７４】
次に、ステップＳ２１０において、リプライ信号に基づき、当該無線タグ回路素子Ｔoのメモリ部１５７内の情報を確認し、メモリ部１５７が正常に初期化されたか否かを判定する。
【００７５】
判定が満たされない場合はステップＳ２２０に移ってＭに１を加え、さらにステップＳ２３０においてＭ＝５かどうかが判定される。
【００７６】
Ｍ≦４の場合は判定が満たされずステップＳ２４０に移り、前述の制御回路３０内のタイマー回路３０Ａを用いて、上記ステップＳ１７０でｔ１が経過した後さらに上記リトライ時間ｔ２が経過したかどうかを判定する。時間ｔ２がまだ経過していなければ無線タグ回路素子Ｔoはまだ書き込みトライ区間に存在するとみなされ、ステップＳ１８０に戻り同様の手順を繰り返す。このようにして初期化が不調でも書き込みトライ区間に無線タグ回路素子Ｔoがある間は５回までは再試行（リトライ）が行われる。なお、ステップＳ２３０でＭ＝５であった場合、あるいはステップＳ２４０で時間ｔ２が経過した場合は、後述のステップＳ３４０に移る。
【００７７】
メモリ部１５７の初期化が正常に終了しステップＳ２１０の判定が満たされた場合、ステップＳ２５０に移り、メモリ部１５７に目的のデータを書き込む「Program」コマンドを信号処理回路２２に出力する。これに基づき信号処理回路２２で本来書き込みたい所定の情報（＝無線タグ情報；例えば新たなＩＤ番号、あるいはさらにそれに係わる物品情報等）である「Program」信号が生成されて高周波回路２１の送信部３２を介して情報書き込み対象の無線タグ回路素子Ｔoに上記出力パワーＰｒで送信され、そのメモリ部１５７に上記所定の情報が書き込まれる。
【００７８】
その後、ステップＳ２６０において、「Verify」コマンドを信号処理回路２２に出力する。これに基づき信号処理回路２２で「Verify」信号が生成されて高周波回路２１の送信部３２を介して情報書き込み対象の無線タグ回路素子Ｔoに送信され、返信を促す。その後ステップＳ２７０において、上記「Verify」信号に対応して書き込み対象の無線タグ回路素子Ｔoから送信されたリプライ信号をアンテナ１４を介して受信し、高周波回路２１の受信部３３及び信号処理回路２２を介し取り込む。
【００７９】
次に、ステップＳ２８０において、リプライ信号に基づき、当該無線タグ回路素子Ｔoのメモリ部１５７内に記憶された情報を確認し、前述の送信した所定の情報がメモリ部１５７に正常に記憶されたか否かを判定する。
【００８０】
判定が満たされない場合はステップＳ２９０に移ってＮに１を加え、さらにステップＳ３００においてＮ＝５かどうかが判定される。
【００８１】
Ｎ≦４の場合は判定が満たされずステップＳ３１０に移り、上記ステップＳ２４０と同様、タイマー回路３０Ａを用いて上記ステップＳ１７０でｔ１が経過した後さらに上記リトライ時間ｔ２が経過したかどうかを判定する。時間ｔ２がまだ経過していなければ無線タグ回路素子Ｔoはまだ書き込みトライ区間に存在するとみなされ、ステップＳ２５０に戻り同様の手順を繰り返す。このようにして初期化が不調でも書き込みトライ区間に無線タグ回路素子Ｔoがある間は５回までは再試行（リトライ）が行われる。なお、ステップＳ３００でＮ＝５であった場合、あるいはステップＳ３１０で時間ｔ２が経過した場合は、後述のステップＳ３４０に移る。
【００８２】
ステップＳ２８０の判定が満たされた場合、正常に書き込みが行われたと見なされてステップＳ３２０に移り、メモリ部１５７に対し以後の再書き込みを禁止する「Lock」コマンドを信号処理回路２２に出力する。これに基づき信号処理回路２２で「Lock」信号が生成されて高周波回路２１の送信部３２を介して情報書き込み対象の無線タグ回路素子Ｔoに送信され、当該無線タグ回路素子Ｔoへの新たな情報の書き込みが禁止し、ステップＳ３３０へ移る（後述）。
【００８３】
一方、前述したように、ステップＳ２３０でＭ＝５であった場合、ステップＳ２４０で時間ｔ２が経過した場合、ステップＳ３００でＮ＝５であった場合、ステップＳ３１０で時間ｔ２が経過した場合、ステップＳ３４０に移る。ステップＳ３４０では、エラー表示信号を入出力インターフェイス３１及び通信回線３を介し上記端末５又は汎用コンピュータ６へ出力し、対応する書き込み失敗（エラー）表示を行わせ、ステップＳ３５０に移る。
【００８４】
ステップＳ３５０では、既にエラー処理（ステップＳ３４０のエラー表示）を行った回数であるエラーカウント数（後述）がこの時点で予め定めた規定値（例えば数回〜１０回等）を超えているかどうかを判定する。判定が満たされなければステップＳ３６０でエラーカウント数に１を加えた後、最初のステップＳ１１０に戻って同様の手順を繰り返す。
【００８５】
エラー処理が規定値を超えていた場合は、先に述べた、印字済みタグテープ搬送速度Ｖ、送信電波出力パワーＰ（あるいはタグ感度）等の当初設定パラメータ値が不適切であったとみなされ、ステップＳ３７０でこれらパラメータの再調整処理がなされる（詳細は後述）。
【００８６】
このようなステップＳ３７０が終了したら、ステップＳ３３０に移る。
【００８７】
ステップＳ３３０では上記エラーカウント数をリセットし０に初期化する。ステップＳ３３０が終了したら、ステップＳ１１０に戻り同様の手順を繰り返す。
【００８８】
以上のフローにより、書き込み対象の無線タグ回路素子ＴoのＩＣ回路部１５１に対し、所望の情報(無線タグ情報)を書き込むことができる。
【００８９】
図９〜図１２は、上記ステップＳ３７０の詳細手順を表す制御フローの例をそれぞれ表している。
【００９０】
図９の例では、まず、（想定した書き込みトライ区間に実際に無線タグ回路素子Ｔoが進入しているかどうかに関係なく）書き込みのための電波送信時間を前後に長くするもので、ステップＳ３７１で待機時間ｔ１を△ｔだけ小さくし、ステップＳ３７２でリトライ時間ｔ２を２△ｔだけ大きくする。
【００９１】
これにより、書き込みのための電波送信時間は、それまでよりも前後に△ｔだけ長くなり、書き込み失敗（エラー）発生の確率を低下させることが可能である。
【００９２】
なお、ステップＳ３７２で△ｔだけ大きくすることで上記電波送信時間を書き込み前側にのみ△ｔだけ広げるようにしてもよい。またステップＳ３７２においてステップＳ３７１の△ｔの２倍でなく、これより大きい適宜の値に設定してもよいことはいうまでもない。
【００９３】
また、図１０の例では、上記同様、書き込みのための電波送信時間を前後に長くするもので、ステップＳ３７３で書き込み出力Ｐｒを△Ｐｒだけ大きくする。
【００９４】
これにより、想定した書き込みトライ区間よりも実際に電波が届く範囲を広めに拡大することができ、書き込みのための電波送信時間がそれまでよりも前後に若干長くなるので、書き込み失敗（エラー）発生の確率を低下させることが可能である。
【００９５】
一方、図１１の例は、何らかの理由で、想定した検出開始位置より搬送方向に若干進んだ位置で遅れて無線タグ回路素子Ｔoが返答していると思われる場合の対処例である。すなわち、上記検出タイミングの誤差を補正するために待機時間を短くするもので、ステップＳ３７４で待機時間ｔ１を△ｔだけ小さくし、ステップＳ３７６でリトライ時間ｔ２を△ｔ′だけ大きくする。△ｔ′の値は予想される上記誤差に応じて△ｔより大きくても小さくても等しくても良いし、あるいは場合によっては△ｔ′＝０であっても構わない（この場合ステップＳ３７６自体が省略されることとなる）
これにより、前述の検出遅れに基づく書き込み開始時期のズレをそれまでよりも△ｔだけ早い時期にずらし、また△ｔ′の値に応じて書き込み終了時期を適宜設定して、書き込み失敗（エラー）発生の確率を低下させることが可能である。
【００９６】
さらに、図１２の例は、上記同様、検出タイミングの誤差を補正するもので、ステップＳ３７６で検出時出力ＰＲを△ＰＲだけ大きくする。
【００９７】
これにより、パワーが大きくなった分それまでよりも無線タグ回路素子Ｔoの検出（反応）タイミングを早くすることができるので、上記同様、書き込み失敗（エラー）発生の確率を低下させることが可能である。
【００９８】
図１３（ａ）及び図１３（ｂ）は、上記のようにして無線タグ回路素子Ｔoへの書き込み及び印字済タグテープ１１０の切断が完了して形成され、排出された無線タグラベルＴの外観の一例を表す図であり、図１３（ａ）は上面図、図１３（ｂ）は下面図である。また図１４は、図１３中XIV‐XIV′断面による横断面図である。
【００９９】
これら図１３（ａ）、図１３（ｂ）、及び図１４において、無線タグラベルＴは、図３の部分拡大図に示した４層構造にカバーフィルム１０３が加わった５層構造となっており、カバーフィルム１０３側（図１４中上側）よりその反対側（図１４中下側）へ向かって、カバーフィルム１０３、カバーフィルム用粘着層１０１ａ、ベースフィルム１０１ｂ、貼着用粘着層１０１ｃ、剥離紙１０１ｄで５層を構成している。そして、前述のように  ベースフィルム１０１ｂの裏側に、ＩＣ回路部１５１及びアンテナ１５２からなる無線タグ回路素子Ｔoが備えられるとともに、カバーフィルム１０３の裏面に印字Ｒ（この例では無線タグラベルＴの種類を示す「ＲＦ−ＩＤ」の文字）が印刷されている。
【０１００】
以上において、高周波回路２１の送信部３２が、各請求項記載の、無線タグ回路素子の位置を検出するための位置検出信号を、装置側アンテナを介して非接触でタグ側アンテナに送信する位置検出信号送信手段を構成し、受信部３３が、この位置検出信号送信手段による位置検出信号に応じてＩＣ回路部より返信される返信信号を、タグ側アンテナを介し非接触で装置側アンテナで受信する返信信号受信手段を構成する。また送信部３２は、返信信号受信手段で受信された返信信号に基づいて、ＩＣ回路部に書き込むための無線タグ情報を、装置側アンテナを介して非接触でタグ側アンテナに送信する書き込み情報送信手段をも構成する。
【０１０１】
また、制御回路３０が、カートリッジ駆動回路２４及びカートリッジ用モータ２３を介し搬送手段としてのテープ送りローラ１０７による搬送速度を制御する第１制御手段を構成するとともに、可変増幅送信アンプ３９へのＴＸ＿ＰＷＲ信号によって位置検出信号送信手段としての送信部３２による送信出力を可変に制御する第２制御手段をも構成する。また制御回路３０は、図９及び図１１のフローに示したように、返信信号受信手段による返信信号の受信後書き込み情報送信手段による無線タグ情報の送信までの時間（待機時間ｔ１）を可変に制御する第３制御手段をも構成し、図１０のフローに示したように、書き込み情報送信手段による送信出力を制御する第４制御手段をも構成する。
【０１０２】
さらに、制御回路３０の行う図７に示したフローのうち、ステップＳ２８０が、  書き込み情報送信手段による送信実行後、ＩＣ回路部への書き込みが成功したか否かの判定を行う判定手段に相当する。
【０１０３】
以上のように構成した本実施形態の作用効果を以下に説明する。
【０１０４】
本実施形態の無線タグ情報書き込み装置２においては、高周波回路２１の送信部３２が、アンテナ１４を介し検出時出力ＰＲで位置検出信号としての「Scroll All ID」信号を送信する。カートリッジ１００から搬出されてくる印刷済みタグテープ１１０上の無線タグ回路素子Ｔoがこの位置検出信号が届く検出位置Ｐ１（図８参照）まで搬送されてくると、この位置検出信号に反応して返信信号としてのＩＤ番号を送信（返信）し、この返信信号がアンテナ１４を介し高周波回路２１の受信部３３で受信され、この受信のタイミングで当該検出位置ｐ１に無線タグ回路素子Ｔoが来たことが検出される。そして、この受信の後、無線タグ回路素子Ｔoがアンテナ１４近傍（半径ｒ内）に予め設定した書き込みトライ区間の書込開始位置ｐ２に到達するような所定の待機時間ｔ１が経過した後に、送信部３２からが無線タグ情報としての「program」信号を無線タグ回路素子Ｔoへと送信し、書き込みを行う。
【０１０５】
以上のように、位置検出信号に対する無線タグ回路素子Ｔoの返信信号に基づき無線タグ回路素子Ｔoの位置を検出し、さらにこれを基に、無線タグ回路素子Ｔoが書込最適位置に到達したタイミングを見計らって書き込みを行うようにしたことにより、次々と搬送されてくる複数の無線タグ回路素子Ｔoに対し、センサ等を用いることなく、必要最小限の送信出力で効率的かつ連続的に情報書き込み処理を行うことができる。
【０１０６】
また、図７のステップＳ３７０に示したように、現在の状況が書き込みに不適切である場合には、図９〜図１２に示すように待機時間ｔ１、リトライ時間ｔ２、書き込み出力Ｐｒ、検出時出力ＰＲを補正するパラメータ再調整処理を行うことにより、書き込み失敗（エラー）発生の確率を低下させることが可能である。
【０１０７】
なお、本発明は、上記実施形態に限られるものではなく、その技術的思想及び趣旨を逸脱しない範囲で種々の変形が可能である。以下、そのような変形例を淳を追って説明する。
【０１０８】
（１）書き込みトライ区間で搬送速度を変化させる場合
図１５は、この変形例における制御回路３０による上記無線タグ回路素子Ｔoへの無線タグ情報書き込み手順を表すフローチャートであり、前述の図７に相当する図である。
【０１０９】
この図１５においては、ステップＳ１１０及びステップＳ１２０は図７と同じである。そしてステップＳ１３０に変わるステップＳ１３０Ａにおいて、上記ステップＳ１２０で入力した搬送速度ＶとパワーＰの値に基づき、ステップＳ１３０と同様の待機時間ｔ１と、後述する搬送速度Ｖの減速（Ｖ→Ｖ−△Ｖ）に対応した（長めの）リトライ時間ｔ２−Ｌとが算出される。
【０１１０】
ステップＳ１４０〜ステップＳ１７０は図７と同様であり、「Scroll All ID」信号が送信されてそのリプライ信号が受信された後、上記待機時間ｔ１が経過し無線タグ回路素子Ｔoが書込みトライ区間に入ったら、ステップＳ１７０より新たに設けたステップＳ１７５に移る。
【０１１１】
ステップＳ１７５では、搬送速度Ｖを△Ｖだけ減速する。この△Ｖの値は、書込動作を確実に行いエラー確率を低減するために例えば予め定めされ制御回路３０内に記憶された値である。このステップＳ１７５が終了したら、ステップＳ１８０へ移り、以降はこの減速された搬送速度Ｖにおいて信号送受動作が行われる。
【０１１２】
ステップＳ１８０〜ステップＳ３６０は上記図７と同様である。
【０１１３】
なお、正常に書き込みが終了し、ステップＳ３２０→ステップＳ３３０を経て最初のステップＳ１１０に戻る前、あるいはエラー処理となってステップＳ３６０でエラーカウント数が１増加されてステップＳ３６０に戻る前に、本変形例では新たにステップＳ３６５を設け、搬送速度Ｖを元に戻す（△Ｖだけ増速する）。これにより、次の検出時にはまたもとの搬送速度Ｖにて信号送受を行うことができる。
【０１１４】
本変形例においては、アンテナ１４近傍で無線タグ回路素子Ｔoへの情報書き込みを行うときに搬送速度Ｖを比較的低くするので、情報書き込みのための時間Ｔ２−Ｌを比較的十分にとることができるとともに、無線タグ回路素子Ｔoを装置側アンテナより通信可能な近傍範囲内に比較的長い時間存在させることができるので、さらに確実に情報書き込みを行える効果がある。
【０１１５】
なお、逆に検出時における前述の誤差防止等に重点を置く場合には、上記とは逆に、検出時の搬送速度を相対的に小さく、情報書き込み時の搬送速度を相対的に大きくすることも考えられる。いずれにしても、情報書き込み時のエラーを少なくするために、搬送速度を、位置検出時と情報書き込み時とで変化させるという点で共通である。
【０１１６】
また、このような搬送速度Ｖ可変の手法を、上記実施形態の図７や上記変形例の図１５のステップＳ３７０のパラメータ再調整処理において行っても良い。すなわち、エラーカウント数が既定値を超えた場合は、もともとの搬送速度Ｖの設定自体に無理があった（速すぎた）として、搬送速度Ｖを所定値だけ小さくするようにしても良い。
【０１１７】
（２）カートリッジ１００側に各種パラメータ値を記録し、装置２側のセンサで読み込む場合
すなわち、前述した図７又は図１５におけるステップＳ１２０で搬送速度Ｖ、送信電波出力のパワーＰ（あるいはタグ感度）等を、上記端末５又は汎用コンピュータ６の入力操作での設定値を読み込んだのに代え、カートリッジ１００に設けた被検出部１９０にそれら設定値をパラメータ情報として形成しておき、それら情報を別途装置２側に設けたセンサ（情報検出手段）２０で検出し、制御回路３０へ読み込むようにする場合である。
【０１１８】
図１６は、このカートリッジ１００に形成した被検出部１９０とセンサ２０との位置関係を模式的に表す図である。図１６において、被検出部１９０は、この例では４つの識別子１９０を備えている。センサ２０は例えば光の透過・反射を利用するもので、制御回路３０からの信号により発光する発光ダイオード（図示せず）、その発光の各識別子１９０における透過・反射光を受光し対応する検出信号を制御回路３０に出力するフォトトランジスタ（図示せず）とから構成される。
【０１１９】
識別子１９０は、それぞれの反射の有無によって、カートリッジ１００内の上記無線タグ回路素子Ｔoに最適な上記各種パラメータ（搬送速度Ｖ、送信電波出力のパワーＰ、あるいはタグ感度）をパラメータ情報として表すようになっている（さらには無線通信に使用する電波の周波数、通信プロトコルといった通信パラメータや、ＩＣ回路部メモリ容量、テープ幅、素子Ｔoの配置間隔といったタグ属性パラメータ等を含んでも良い）。
【０１２０】
なお、センサ２０は上記の光学式には限られず、他の方式、例えば凹凸形状を備えた被検出部１９０の識別子に対しメカニカルスイッチで検出するようにしてもよい。
【０１２１】
本変形例によれば、カートリッジ１００に形成された内包無線タグ回路素子Ｔoのタグ属性パラメータや通信パラメータに応じた適正な搬送速度Ｖ、送信出力Ｐ、待機時間ｔ１等を用い、さらに確実に書き込み処理を行うことが可能となる。
【０１２２】
なお、以上においては、印刷動作に伴い搬送ガイド１３を移動中の印字済タグテープ１１０に対してアクセスエリア内に保持しつつ位置検出及び情報書き込みを行う例を示したが、これに限られない。すなわち、その印字済タグテープ１１０を所定位置で停止させて搬送ガイド１３にて保持した状態で上記位置検出又は情報書き込みを行うようにしてもよい。
【０１２３】
また、以上は、無線タグ情報書き込み装置２は、無線タグ回路素子ＴoのＩＣ回路部１５１へ無線タグ情報の書き込みを行うと共に、サーマルヘッド１０によってその無線タグ回路素子Ｔoを識別するための印刷（印字）を行うものであったが、この印刷は必ずしも行われなくともよく、無線タグ情報の書き込みのみを行うものであっても構わない。
【０１２４】
その他、一々例示はしないが、本発明は、その趣旨を逸脱しない範囲内において、種々の変更が加えられて実施されるものである。
【図面の簡単な説明】
【０１２５】
【図１】本発明の一実施形態の無線タグ情報書き込み装置が適用される無線タグ生成システムを表すシステム構成図である。
【図２】図１に示した無線タグ情報書き込み装置の詳細構造を表す概念的構成図である。
【図３】図２に示したカートリッジの詳細構造を表す側面図である。
【図４】図２に示した高周波回路の詳細機能を表す機能ブロック図である。
【図５】印字済タグテープに備えられた無線タグ回路素子の機能的構成を表す機能ブロック図である。
【図６】無線タグ情報書き込み装置による無線タグ回路素子のＩＣ回路部への無線タグ情報の書き込みに際し、端末又は汎用コンピュータに表示される画面の一例を表す図である。
【図７】制御回路によって実行される制御のうち、無線タグ回路素子のＩＣ回路部への無線タグ情報の書き込み手順を表すフローチャートである。
【図８】無線タグ回路素子への位置検出信号送信及び無線タグ情報書き込み信号の送信挙動を表す説明図である。
【図９】図７に示したステップＳ３７０の詳細手順の一例を表すフローチャートである。
【図１０】図７に示したステップＳ３７０の詳細手順の他の例を表すフローチャートである。
【図１１】図７に示したステップＳ３７０の詳細手順のさらに他の例を表すフローチャートである。
【図１２】図７に示したステップＳ３７０の詳細手順のさらに他の例を表すフローチャートである。
【図１３】無線タグラベルの外観の一例を表す上面図及び下面図である。
【図１４】図１３中XIV‐XIV′断面による横断面図である。
【図１５】書き込みトライ区間で搬送速度を変化させる変形例における、無線タグ回路素子への無線タグ情報書き込み手順を表すフローチャートである。
【図１６】カートリッジ側に各種パラメータ値を記録し装置側のセンサで読み込む変形例における、カートリッジに形成した被検出部とセンサとの位置関係を模式的に表す図である。
【符号の説明】
【０１２６】
９          筐体
１４        アンテナ（装置側アンテナ）
２０        光学センサ（情報検出手段）
２１        高周波回路
３０        制御回路（第１〜第４制御手段、判定手段）
３２        送信部（位置検出信号送信手段、書き込み情報送信手段）
３３        受信部（返信信号受信手段）
１５１      ＩＣ回路部
１５２      アンテナ（タグ側アンテナ）
Ｔo         無線タグ回路素子
【図１】
2005267532.tif 000003
【図２】
2005267532.tif 000004
【図３】
2005267532.tif 000005
【図４】
2005267532.tif 000006
【図５】
2005267532.tif 000007
【図６】
2005267532.tif 000008
【図７】
2005267532.tif 000009
【図８】
2005267532.tif 000010
【図９】
2005267532.tif 000011
【図１０】
2005267532.tif 000012
【図１１】
2005267532.tif 000013
【図１２】
2005267532.tif 000014
【図１３】
2005267532.tif 000015
【図１４】
2005267532.tif 000016
【図１５】
2005267532.tif 000017
【図１６】
2005267532.tif 000018